(57)【要約】      （修正有）【課題】全体の厚さが低減されるバックライトモジュール及び表示装置を提供する。【解決手段】バックライトモジュールはフレーム２と、フレーム２内に設けられた光源３と、光源側を向いている導光板４と、導光板４の上方に設けられ且つスロットを有する第１の光学フィルム５１と、第２光学フィルム５２と、第１の接着部材６１と、複数の第２の接着部材６２と、を備える。フレーム２は複数の突起を有する。第１の接着部材６１は、長尺状であり、複数の突起のうちの一部の突起に設けられており、第１の光学フィルム５１のスロット５１１内に露出されて、突起及び第２の光学フィルム５２に接着されている。第２の接着部材６２は突起にそれぞれ単独に設けられており、第１の接着部材６１が設けられていない突起においては、突起と第１の光学フィルム５１とに接着されている。【選択図】図１
0003217509.tif 000002
【実用新案登録請求の範囲】
【請求項１】
サイド部と複数の突起とを有するフレームであり、前記複数の突起は前記サイド部から前記フレームの中央へ向かって突出しているフレームと、
前記フレーム内に設けられた光源と、
前記フレーム内に設けられ且つ前記光源側を向いている導光板と、
前記導光板の上方に設けられ、スロットを有する第１の光学フィルムと、
前記第１の光学フィルムの上方に設けられ、一部が前記第１の光学フィルムの前記スロットに重なっている第２の光学フィルムと、
長尺状であり、前記複数の突起のうちの一部の突起に設けられており、前記第１の光学フィルムの前記スロット内に露出されて、前記突起及び前記第２の光学フィルムに接着されている第１の接着部材と、
前記複数の突起にそれぞれ単独に設けられており、前記第１の接着部材が設けられていない突起においては、前記突起と前記第１の光学フィルムとに接着されている複数の第２の接着部材と、
を備えるバックライトモジュール。
【請求項２】
前記フレームに溝が設けられており、前記光源は前記溝に設けられ、
前記突起は前記溝において間隔をあけて突出しており、前記第１の光学フィルムの前記スロットは前記溝と部分的に重なっている請求項１に記載のバックライトモジュール。
【請求項３】
前記フレームは、バックプレートと、前記バックプレートを囲んで設けられたプラスチック枠とを含み、
前記バックプレートに前記溝が設けられており、
前記プラスチック枠は筐体を有し、前記サイド部が前記筐体に形成されており、
前記突起は前記筐体から一体的に延び、前記溝において突出している請求項２に記載のバックライトモジュール。
【請求項４】
前記光源は、回路基板と前記回路基板に位置する複数の発光ダイオードとを有する請求項１〜３の何れか一項に記載のバックライトモジュール。
【請求項５】
各前記突起はそれぞれ前記回路基板を向く下面と前記下面に対向する上面とを有し、
前記回路基板は、前記突起の下面に当接している請求項４に記載のバックライトモジュール。
【請求項６】
前記発光ダイオードは隣接する２つの前記突起の間に位置している請求項４又は５に記載のバックライドモジュール。
【請求項７】
前記第１の接着部材は第１の厚さを有し、
各前記第２の接着部材は第２の厚さを有し、
前記第２の厚さは前記第１の厚さより大きい請求項１〜６の何れか一項に記載のバックライトモジュール。
【請求項８】
前記第１の光学フィルムの厚さは前記第２の厚さから前記第１の厚さを減算した差と等しい請求項７に記載のバックライトモジュール。
【請求項９】
前記第１の光学フィルムは下拡散シートであり、前記第２の光学フィルムは下プリズムシートである請求項１〜８の何れか一項に記載のバックライトモジュール。
【請求項１０】
請求項１〜９の何れか一項に記載のバックライトモジュールと、
前記第２の光学フィルムの上方に位置する少なくとも１つのフィルムと、
パネル貼付部材と、
前記バックライトモジュールに設けられた表示パネルとを備え、
前記パネル貼付部材は、前記フレームの前記サイド部と前記フィルムと前記表示パネルとに貼り付けられている表示装置。
【考案の詳細な説明】
【技術分野】
【０００１】
本考案は光源モジュールに関し、特に、バックライトモジュール及び表示装置におけるバックライトモジュールの適用に関する。
【背景技術】
【０００２】
光学フィルムまたは導光板がプラスチック枠に固定される形態としては、主に、導光板または光学フィルムの両側に矩形の突起を設け、突起に対応する凹溝をプラスチック枠に設ける形態が知られている。このように、凹溝に突起を嵌合させて、プラスチック枠及び突起をテープで貼り付けることによって、導光板または光学フィルムをプラスチック枠に位置決めすることができる。
【０００３】
しかし、このような構造は、バックライトモジュールや表示装置の狭額縁設計の傾向に合致していない。さらに、突起にテープを貼り付ける方式も、バックライトモジュールおよび表示装置の全体の厚さを増加させる。
【考案の概要】
【考案が解決しようとする課題】
【０００４】
したがって、本考案の目的は、狭額縁で薄型化の設計要求を満たすことができるバックライトモジュールを提供することである。
【課題を解決するための手段】
【０００５】
本考案のバックライトモジュールは、フレームと、フレーム内に設けられた光源と、フレーム内に設けられ且つ光源側を向いている導光板と、導光板の上方に設けられた第１の光学フィルムと、第１の光学フィルムの上方に設けられた第２の光学フィルムと、第１の接着部材と、複数の第２の接着部材と、を備える。フレームはサイド部とサイド部からフレームの中央へ向かって突出している複数の突起とを有する。第１の光学フィルムはスロットを有する。第１の接着部材は、長尺状であり、複数の突起のうちの一部の突起に設けられており、第１の光学フィルムのスロット内に露出されて、突起及び第２の光学フィルムに接着されている。第２の接着部材は複数の突起にそれぞれ単独に設けられており、第１の接着部材が設けられていない突起においては、突起と第１の光学フィルムとに接着されている。
【０００６】
本考案の他の技術案によると、フレームに溝が設けられており、光源は溝に設けられ、突起は溝において間隔をあけて突出している。
【０００７】
本考案の他の技術案によると、フレームは、バックプレートと、バックプレートを囲んで設けられたプラスチック枠とを含み、バックプレートに溝が設けられており、プラスチック枠は筐体を有し、サイド部が筐体に形成されており、突起は筐体から一体的に延び、溝において突出している。
【０００８】
本考案の他の技術案によると、光源は、回路基板と回路基板に位置する複数の発光ダイオードとを有する。
【０００９】
本考案の他の技術案によると、各突起はそれぞれ回路基板を向く下面と下面に対向する上面とを有し、回路基板は、突起の下面に当接している。
【００１０】
本考案の他の技術案によると、発光ダイオードは隣接する２つの突起の間に位置している。
【００１１】
本考案の他の技術案によると、第１の接着部材は第１の厚さを有し、各第２の接着部材は第２の厚さを有し、第２の厚さは第１の厚さより大きい。
【００１２】
本考案の他の技術案によると、第１の光学フィルムの厚さは第２の厚さから第１の厚さを減算した差と実質的に等しい。
【００１３】
本考案の他の技術案によると、第１の光学フィルムは下拡散シートであり、第２の光学フィルムは下プリズムシートである。
【００１４】
本考案の他の目的は前記バックライトモジュールを適用した表示装置を提供することである。
【００１５】
本考案の表示装置は、上記のようなバックライトモジュールと、第２の光学フィルムの上方に位置する少なくとも１つのフィルムと、パネル貼付部材と、バックライトモジュールに設けられた表示パネルとを備え、パネル貼付部材は、フレームのサイド部とフィルムと表示パネルとに貼り付けられている。
【考案の効果】
【００１６】
本考案は、第１の光学フィルムにスロットを設け、スロットを利用して第１の接着部材を収容することで、第１の接着部材が突起と第２の光学フィルムとに貼り付けられ、ひいてはバックライトモジュール及び表示装置全体の厚さを減らし、製品の薄型化及び狭額縁化を図ることができるという有益な効果を有する。
【図面の簡単な説明】
【００１７】
【図１】本考案のバックライトモジュールの好ましい実施例を示す概略分解斜視図である。
【図２】好ましい実施例におけるフレームの構造を示す概略図である。
【図３】図２を補助的に説明するための部分拡大斜視図である。
【図４】図１の円で囲まれた箇所Ａの拡大様態を示す部分拡大斜視図である。
【図５】光源とフレームとの相対位置を補助的に説明するための部分断面図である。
【図６】図１の円で囲まれた箇所Ｂの拡大様態を示す部分拡大斜視図である。
【図７】本考案の表示装置の好ましい実施例を示す概略分解斜視図である。
【考案を実施するための形態】
【００１８】
本考案に係る保護範囲および技術内容は、以下の図面を参照した好ましい実施例の詳細な説明において、明瞭になる。詳細な説明を行う前に、類似した部材を同じ番号で示すことに、注意すべきである。例えば「上」、「下」、「前」、「後」、「左」、「右」などの以下の実施例で言及される方向性の用語は、単に図面を参考する方向である。したがって、使用される方向性の用語は本考案を限定するのではなく説明するために使用される。
【００１９】
図１は本考案のバックライトモジュールの好ましい実施例を示す。図１を参照すると、バックライトモジュールは、フレーム２と、フレーム２内に設けられた光源３と、フレーム２内に設けられ且つ光源３側を向いている導光板４と、導光板４の上方に設けられた第１の光学フィルム５１と、第１の光学フィルム５１の上方に設けられた第２光学フィルム５２と、第１の接着部材６１と、複数の第２の接着部材６２とを備えている。
【００２０】
図２および図３を参照すると、フレーム２は、バックプレート２１と、バックプレート２１を囲んで設けられたプラスチック枠２２とを含む。バックプレート２１には溝２１１が設けられている。プラスチック枠２２は、筐体２２１と、筐体２２１のサイド部２２２から一体的に延び、フレーム２２１の中央へ向かって突出している複数の突起２２３と、を含む。
【００２１】
図４および図１を参照すると、図４は図１の円で囲まれた箇所Ａの拡大様態であり、光源３は溝２１１に設けられ、突起２２３は溝２１１において間隔をあけて突出している。第１の光学フィルム５１は、溝２１１と部分的に重なっているスロット５１１を有する。第１の接着部材６１は長尺状であり、複数の突起２２３のうちの一部の突起２２３に設けられている。バックライトモジュールの組み立てが完了した後、第１の接着部材６１は、第１の光学フィルム５１のスロット５１１内に露出されて、突起２２３及び第２の光学フィルム５２に接着されている。第２の接着部材６２は、複数の突起２２３にそれぞれ単独に設けられている。第１の接着部材６１が設けられていない突起２２３においては、突起２２３と第１の光学フィルム５１とに第２の接着部材６２が接着されている。
【００２２】
また、本実施例では、突起２２３を異なる厚さにしている。例えば、図５に示すように、左側の突起２２３の厚さが厚く、右側の突起２２３の厚さが薄い。よって、右側の各第２の接着部材６２の厚さを左側の第１の接着部材６１の厚さより大きく構成することで、第１の光学フィルム５１と第２の接着部材６２と右側の突起２２３との三者の高さの合計が第１の接着部材６１と左側の突起２２３との両方の高さの合計と等しいことを確保して、第２の光学フィルム５２が右側の各第２の接着部材６２と左側の第１の接着部材６１とに平らに接着されるようにする。他の実施例において、突起２２３を同じ厚さにしてもよい。左側の第１の接着部材６１の厚さを右側の各第２の接着部材６２と第１の光学フィルム５１との厚さの合計と等しいように構成することで、第１の光学フィルム５１と第２の接着部材６２と右側の突起２２３との三者の高さの合計が第１の接着部材６１と左側の突起２２３との両方の高さの合計と等しいことを確保して、第２の光学フィルム５２が右側の各第２の接着部材６２と左側の第１の接着部材６１とに平らに接着される目的に達する。本実施例では、第１の光学フィルム５１は下拡散シートであり、第２の光学フィルム５２は下プリズムシートである。
【００２３】
図１および図６を参照して、図６は、図１の円で囲まれた箇所Ｂの拡大様態であり、光源３は、回路基板３１と、回路基板３１に位置する複数の発光ダイオード３２とを有する。図５に示すように、発光ダイオード３２は隣接する２つの突起２２３の間に位置している。各突起２２３はそれぞれ回路基板３１を向く下面２２４と下面２２４に対向する上面２２５とを有する。回路基板３１は、突起２２３の下面２２４に当接している。
【００２４】
本考案は、図７に示すように、上述したようなバックライトモジュールと、第２の光学フィルム５２の上方に位置するフィルム５３と、パネル貼付部材７と、バックライトモジュールに設けられた表示パネル８とを備える表示装置を提供している。パネル貼付部材７はフレーム２のサイド部２２２とフィルム５３と表示パネル８とに貼り付けられている。
【００２５】
本考案の上記実施例から分かるように、本考案は少なくとも１つの光学フィルム（本実施例では第１の光学フィルム５１）にスロット５１１を設け、スロット５１１を用いて第１の接着部材６１の一部を収容する。これにより、第１の接着部材６１においてスロット５１１に位置する部分はバックライトモジュールにおける他の部品や表示パネル８に同時に貼り付けられ、ひいては、バックライトモジュール及び表示装置全体の厚さを減らして、製品の薄型化及び狭額縁化を図ることができる。
【００２６】
本考案は、バックプレート２１の背面から嵌め込まれた光源３を収容するために、バックプレート２１に溝２１１を設けることもできる。このため、バックプレート２１の内側の底面に光源３の回路基板３１を重ねて設ける必要がなく、対象の積層厚みを薄くすることができる。
【００２７】
一方、一体成型したプラスチック枠２２とバックプレート２１とを利用して、バックプレート２１とプラスチック枠２２とを一体に密着させることで、ゆるみ現象が発生しにくくなり、バックライトモジュール全体の剛性を強化することができる。
【００２８】
また、プラスチック枠２２の突起２２３は、回路基板３１における発光ダイオード３２とずれているため、光源３をフレーム２に組み付けるときに、作業者がアライメントを容易にすることができ、これにより組立工数を短縮し、組立効率を向上させることができる。
【００２９】
上記の説明は、本考案の好ましい実施例に過ぎず、本考案の実施の範囲を限定するものではない。言い換えれば、本考案の請求の範囲および明細書の内容に従ってなされる簡単な同等の変更および修正は、依然として本考案の保護範囲に含まれる。
【符号の説明】
【００３０】
２      フレーム
２１    バックプレート
２１１  溝
２２    プラスチック枠
２２１  筐体
２２２  サイド部
２２３  突起
２２４  下面
２２５  上面
３      光源
３１    回路基板
３２    発光ダイオード
４      導光板
５１    第１の光学フィルム
５１１  スロット
５２    第２の光学フィルム
５３    フィルム
６１    第１の接着部材
６２    第２の接着部材
７      パネル貼付部材
８      表示パネル
Ａ      円で囲まれた箇所
Ｂ      円で囲まれた箇所
【図１】
0003217509.tif 000003
【図２】
0003217509.tif 000004
【図３】
0003217509.tif 000005
【図４】
0003217509.tif 000006
【図５】
0003217509.tif 000007
【図６】
0003217509.tif 000008
【図７】
0003217509.tif 000009